(57)【要約】  本発明は、ＣＳＧセルで端末がセル再選択優先順位を効率的に制御する方法及び装置を提供する。本発明の移動通信システムで端末のセル再選択方法は基地局から送信されるセル再選択に対する周波数別の優先順位情報を受信する受信段階； 上記受信された優先順位情報によってセル再選択過程を実行する実行段階；上記端末に対する接続が許容されたＣＳＧ（Ｃｌｏｓｅｄ Ｓｕｂｓｃｒｉｂｅｄ Ｇｒｏｕｐ)セルへの再選択をするか否かを判定する判定段階；及び上記ＣＳＧセルへの再選択の際、上記ＣＳＧセルに対する周波数をセル再選択に対する最上位優先順位で割り当てる割り当て段階を含むことを特徴とする。
2014514850.tif 000002
【特許請求の範囲】
【請求項１】
移動通信システムで端末のセル再選択方法であって、
基地局から送信されるセル再選択に対する周波数別の優先順位情報を受信する受信段階；
上記受信された優先順位情報によってセル再選択過程を実行する実行段階；
上記端末に対する接続が許容されたＣＳＧ(Ｃｌｏｓｅｄ Ｓｕｂｓｃｒｉｂｅｄ Ｇｒｏｕｐ)セルへの再選択をするか否かを判定する判定段階；及び
前記ＣＳＧセルへの再選択の際、前記ＣＳＧセルに対する周波数をセル再選択に対する最上位優先順位で割り当てる割り当て段階を含むことを特徴とするセル再選択方法。
【請求項２】
前記受信段階は、
前記優先順位情報をシステム情報ブロック(Ｓｙｓｔｅｍ Ｉｎｆｏｒｍａｔｉｏｎ Ｂｌｏｃｋ、ＳＩＢ)又は上位階層シグナリングを通じて受信することを特徴とする、請求項１に記載のセル再選択方法。
【請求項３】
前記受信段階は、
前記優先順位情報を上位階層シグナリングを通じて受信する場合、前記ＳＩＢを通じて受信した優先順位情報を無視する段階をさらに含むことを特徴とする、請求項２に記載の セル再選択方法。
【請求項４】
前記受信段階は、
前記受信した優先順位情報が、前記端末が現在接続した周波数に対する優先順位情報を含まない場合、
前記端末が現在接続した周波数をセル再選択に対する最下位優先順位で割り当てる段階をさらに含むことを特徴とする、請求項３に記載のセル再選択方法。
【請求項５】
前記実行段階は、
前記端末が前記端末に一般的なサービスを提供することができるセルにキャンプ(ｃａｍｐ)しない状態であれば、前記ＳＩＢを通じて受信した優先順位情報によって前記セル再選択過程を実行することを特徴とする、請求項４に記載のセル再選択方法。
【請求項６】
前記ＣＳＧセルを除いた他のセルへの再選択の際、前記ＣＳＧセルに対する周波数をセル再選択に対する最下位優先順位で割り当てる段階をさらに含むことを特徴とする、 請求項１に記載のセル再選択方法。
【請求項７】
前記ＣＳＧセルを除いた他のセルへの再選択の際、予め設定された時間の間には前記ＣＳＧセルに対する周波数をセル再選択に対する最上位優先順位で維持する段階をさらに含むことを特徴とする、請求項１に記載のセル再選択方法。
【請求項８】
移動通信システムでセル再選択を実行する端末であって、
基地局と信号又はデータを送受信する送受信部；及び
基地局から送信されるセル再選択に対する周波数別の優先順位情報を受信し、前記受信された優先順位情報によってセル再選択過程を実行し、前記端末に対する接続が許容されたＣＳＧ (Ｃｌｏｓｅｄ Ｓｕｂｓｃｒｉｂｅｄ Ｇｒｏｕｐ)セルへの再選択をするか否かを判定し、前記ＣＳＧセルへの再選択の際、前記ＣＳＧセルに対する周波数をセル再選択に対する最上位優先順位で割り当てるように制御する制御部を含むことを特徴とする端末。
【請求項９】
前記優先順位情報は、
システム情報ブロック(Ｓｙｓｔｅｍ Ｉｎｆｏｒｍａｔｉｏｎ Ｂｌｏｃｋ、ＳＩＢ)又は上位階層シグナリングを通じて受信されることを特徴とする、 請求項8に記載の端末。
【請求項１０】
前記制御部は、
前記優先順位情報を上位階層シグナリングを通じて受信する場合、前記ＳＩＢを通じて受信した優先順位情報を無視することを特徴とする、請求項９に記載の端末。
【請求項１１】
前記制御部は、
前記受信した優先順位情報が、前記端末が現在接続した周波数に対する優先順位情報を含まない場合、前記端末が現在接続した周波数をセル再選択に対する最下位優先順位で割り当てることを特徴とする、請求項１０に記載の端末。
【請求項１２】
前記制御部は、
前記端末が前記端末に一般的なサービスを提供することができるセルにキャンプ(ｃａｍｐ)しない状態であれば、前記ＳＩＢを通じて受信した優先順位情報によって前記セル再選択過程を実行するように制御することを特徴とする、請求項１1に記載の端末。
【請求項１３】
前記制御部は、
前記ＣＳＧセルを除いた他のセルへの再選択の際、前記ＣＳＧセルに対する周波数をセル再選択に対する最下位優先順位で割り当てることを特徴とする、請求項８に記載の端末。
【請求項１４】
前記制御部は、
前記ＣＳＧセルを除いた他のセルへの再選択の際、予め設定された時間の間には前記ＣＳＧセルに対する周波数をセル再選択に対する最上位優先順位で維持するように制御することを特徴とする、請求項８に記載の端末。
【発明の詳細な説明】
【技術分野】
【０００１】
本発明は、無線通信システムに関し、より具体的にＣＳＧ(Ｃｌｏｓｅｄ Ｓｕｂｓｃｒｉｂｅｒ Ｇｒｏｕｐ)セルで端末がセル再選択優先順位を効率的に制御する方法及び装置に関する。
【背景技術】
【０００２】
一般的に、移動通信システムはユーザの移動性を確保しながら通信を提供するための目的に開発された。このような移動通信システムは技術の飛躍的な発展に負って音声通信はもちろん高速のデータ通信サービスを提供することができる段階になった。
【０００３】
近年、次世代移動通信システム中の１つで３ＧＰＰでＬＴＥ(Ｌｏｎｇ Ｔｅｒｍ Ｅｖｏｌｕｔｉｏｎ)に対する規格作業が進行中である。ＬＴＥは２０１０年程度を商用化を目標とし、現在提供されているデータ送信率より高い最大１００Ｍｂｐｓ程度の送信速度を有する高速パケットに基づく通信を具現する技術である。このために色々方案が論議中であり、例えばネットワークの構造を簡単にして通信路上に位置するノードの数を減らす方案や、無線プロトコルを最大限無線チャンネルに近接させる方案などが論議中である
【０００４】
一方、データサービスは、音声サービスとは異なり送信しようとするデータの量とチャンネル状況によって割り当てることができる資源等が決定される。したがって、移動通信システムのような無線通信システムでは、スケジューラで送信しようとする資源の量とチャンネルの状況及びデータの量等を考慮して送信資源を割り当てる等の管理が成る。これは次世代移動通信システム中の１つであるＬＴＥでも同一になり、基地局に位置したスケジューラが無線送信資源を管理して割り当てる。
【０００５】
最近ＬＴＥ通信システムに、様々な新技術を組み合わせて送信速度を向上させる進化されたＬＴＥ通信システム(ＬＴＥ−Ａｄｖａｎｃｅｄ；ＬＴＥ−Ａ)に対して論議されている。進化されたＬＴＥ−ＡシステムではＣＳＧ(Ｃｌｏｓｅｄ Ｓｕｂｓｃｒｉｂｅｒ Ｇｒｏｕｐ)セル技術も研究されている。ＣＳＧセルとは、特定使用者に限ってアクセスが許容されるセルを称する。図１は、ＣＳＧセルの概念図である。ＣＳＧセルのサービス領域１０５に２台の端末(１１０、１１５)が存在する。図１を参照すれば、端末１１０はＣＳＧセルのメンバーとして、ＣＳＧセルと接続されて通信が可能である。
【発明の概要】
【発明が解決しようとする課題】
【０００６】
ところが、端末１１５はｎｏｎ ＣＳＧセルのメンバーとして、ＣＳＧセルのサービス領域中にあってもＣＳＧセルと接続されることができず、遠い距離にあるマクロセル基地局１００と接続されて通信を実行する。特定ＣＳＧセルに対するメンバーであるか否かが分かるホワイトリスト(ｗｈｉｔｅ ｌｉｓｔ)は端末が予め持っている。
【課題を解決するための手段】
【０００７】
本発明は、ＣＳＧセルで端末がセル再選択優先順位を効率的に制御する方法及び装置を提供することをその目的とする。
【０００８】
本発明に一態様によれば、本発明の移動通信システムで、端末のセル再選択方法は、基地局から送信されるセル再選択に対する周波数別の優先順位情報を受信する受信段階； 上記受信された優先順位情報によってセル再選択過程を実行する実行段階； 上記端末に対する接続が許容されたＣＳＧ(Ｃｌｏｓｅｄ Ｓｕｂｓｃｒｉｂｅｒ Ｇｒｏｕｐ)セルへの再選択をするか否かを判定する判定段階、及び上記ＣＳＧセルへの再選択時、上記ＣＳＧセルに対するセル再選択に対する最上位優先順位で割り当てる割り当て段階を含むことを特徴とする。
【０００９】
また、本発明に他の態様によれば、発明の移動通信システムでセル再選択を実行する端末は基地局と信号又はデータを送受信する送受信部、及び基地局から送信されるセル再選択に対する周波数別の優先順位情報を受信して、上記受信された優先順位情報によってセル再選択過程を実行して、上記端末に対する接続が許容されたＣＳＧセルへの再選択をするか否かを判定して、上記ＣＳＧセルへの再選択時、上記ＣＳＧセルに対する周波数をセル再選択に対する最上位優先順位で割り当てるように制御する制御部を含むことを特徴とする。
【００１０】
本発明に一態様によれば、端末は、端末に一般的なサービスを提供することができるセルにキャンプ(ｃａｍｐ)しない状態であれば、上記ＳＩＢを通じて受信した優先順位情報によって上記セル再選択過程を実行するように制御することができる。
【００１１】
また、本発明の他の態様によれば、端末は、上記ＣＳＧセルを除いた他のセルへの再選択の際、上記ＣＳＧセルに対する周波数をセル再選択に対する最下位優先順位で割り当てることもできる。
【図面の簡単な説明】
【００１２】
【図１】ＣＳＧセルの概念を示した概念図である。
【図２】セル再選択のための周波数別の優先順位情報がＳＩＢを通じてブロードキャスト(ｂｒｏａｄｃａｓｔ)されたり、ｄｅｄｉｃａｔｅｄ ＲＲＣ ｓｉｇｎａｌｉｎｇであるＲＲＣ接続解除メッセージを通じて特定端末に適用される過程を説明するためのフローチャートである。
【図３】１つのＣＳＧセルメンバーである端末が周辺のＣＳＧセルを認知する過程を説明するためのフローチャートである。
【図４】ＣＳＧセルに対するセル再選択優先順位の決定方法を説明するためのフローチャートである。
【図５】端末の内部構造を示したブロック図である。
【発明を実施するための形態】
【００１３】
以下、添付の図面を参照して本発明の好ましい実施形態を詳しく説明する。この際、添付された図面で同一構成要素は可能な同一符号に示していることに留意すべきである。なお、本発明の要旨を不明瞭にする公知機能及び構成に対する詳細な説明は省略する。
【００１４】
本発明はＣＳＧセルで端末がセル再選択優先順位を効率的に制御する方法及び装置に関する。
【００１５】
セル再選択(Ｃｅｌｌ Ｒｅｓｅｌｅｃｔｉｏｎ)とは、移動する端末機が最もチャンネル状態が良好なセルに接続されるように、サービングセルを再選択する過程である。ネットワークは周波数別で優先順位を付与して、待機モードにある端末のセル再選択を制御する。
【００１６】
例えば、１つの端末が２つの周波数ｆ１及びｆ２に対する優先順位情報を受信し、ｆ１がｆ２よりさらに高い優先順位を有すると、端末がｆ１に留まる確率が高くなる。また、端末がｆ２にあっても、ｆ２のチャンネル状態が良くなければ、ｆ１に変更しようと試みる。周波数に対する優先順位(ｐｒｉｏｒｉｔｙ)情報はＳＩＢを通じて放送(ｂｒｏａｄｃａｓｔ)されたり、専用ＲＲＣシグナリング(ｄｅｄｉｃａｔｅｄ ＲＲＣ ｓｉｇｎａｌｉｎｇ、又は上位階層シグナリング)であるＲＲＣ接続解除(ＲＲＣ Ｃｏｎｎｅｃｔｉｏｎ Ｒｅｌｅａｓｅ)メッセージを通じて、特定端末に提供される。端末がＳＩＢを通じて予め周波数に対する優先順位情報を持っていても、端末特定(ＵＥ−ｓｐｅｃｉｆｉｃ)優先順位情報がＲＲＣシグナリングで提供されると、ＳＩＢの優先順位情報は無視される。各周波数の優先順位情報はセル再選択優先順位(ｃｅｌｌ Ｒｅｓｅｌｅｃｔｉｏｎ Ｐｒｉｏｒｉｔｙ)ＩＥを通じて伝達され、総８段階の優先順位のうち、いずれか１つが付与される。
【００１７】
ＲＡＴの間の周波数は同一の優先順位が付与されることができない。端末のアイドル(ＩＤＬＥ)状態が「ｃａｍｐｅｄ ｏｎ ａｎｙ ｃｅｌｌ ｓｔａｔｅ」であれば、ＳＩＢを通じて受けた周波数優先順位情報を適用し、ＲＲＣシグナリングで受けた優先順位情報は使用せず記憶だけしている。
【００１８】
上記セル再選択優先順位(ｃｅｌｌ Ｒｅｓｅｌｅｃｔｉｏｎ Ｐｒｉｏｒｉｔｙ)ＩＥは、選択的(ｏｐｔｉｏｎａｌ)ＩＥとして、存在しないこともある。この場合に当該の周波数に対する優先順位情報は付与されないことである。この時、端末は当該の周波数の優先順位を最も低い段階と見なす。
【００１９】
図２は、セル再選択のための周波数別の優先順位情報がＳＩＢを通じてブロードキャストされたり、指定されたＲＲＣシグナリング(ｄｅｄｉｃａｔｅｄ ＲＲＣ ｓｉｇｎａｌｉｎｇ)であるＲＲＣ接続解除メッセージを通じて特定端末に適用される過程を説明するための図面である。端末は２００段階でＳＩＢを通じて、ＥＵＴＲＡだけではなく、他のＲＡＴで用いる周波数に対する優先順位情報が提供される。しかし、必ずすべての周波数に対して優先順位情報が提供されることではない。現在キャンプ(ｃａｍｐ)したサービングセルの周波数に対する優先順位情報も提供されないこともある。端末は２０５段階でこれを判定する。もし、現在サービングセルの周波数に対する優先順位情報が提供されない場合、上記周波数の優先順位を最も低い段階と見なす。
【００２０】
端末は２１５段階で各周波数の優先順位情報を適用する。端末は基地局からＲＲＣ接続解除メッセージを受けると、接続モード(Ｃｏｎｎｅｃｔｅｄ ｍｏｄｅ)で待機モード(ＩＤＬＥ ｍｏｄｅ)で転換する。上記ＲＲＣメッセージには周波数の優先順位情報が含まれることができる。これは端末に特定(ＵＥ−ｓｐｅｃｉｆｉｃ)した情報として、一般的に ＳＩＢから提供された周波数優先順位情報より優先的に適用される。したがって、端末は ２２０段階で上記ＲＲＣメッセージに周波数優先順位情報があるかどうかを識別する。存在すれば、共に含まれているＴ３２０値を適用して、１つのタイマーを２２５段階で駆動させる。端末は現在の待機モード状態がａｎｙ ｃｅｌｌへのキャンプ状態(「ｃａｍｐｅｄ ｏｎ ａｎｙ ｃｅｌｌ ｓｔａｔｅ」)なのか、或いは一般キャンプ状態(「ｃａｍｐｅｄ ｎｏｒｍａｌｌｙ ｓｔａｔｅ」)なのかを２３０段階で判定する。「ｃａｍｐｅｄ ｎｏｒｍａｌｌｙ ｓｔａｔｅ」は端末が適切なセル(ｓｕｉｔａｂｌｅ ｃｅｌｌ)にキャンプ(ｃａｍｐ)している状態を指す。適切なセル(Ｓｕｉｔａｂｌｅ ｃｅｌｌ)とは、端末に一般的なサービス(ｎｏｒｍａｌ ｓｅｒｖｉｃｅ)を提供することができるセルとして、以下のような詳細的な条件を満足させるセルである。
【００２１】
- セルがｓｅｌｅｃｔｅｄ ＰＬＭＮ、ｒｅｇｉｓｔｅｒｅｄ ＰＬＭＮ又はｅｑｕｉｖａｌｅｎｔ ＰＬＭＮ ｌｉｓｔ内の１つのＰＬＭＮに該当
【００２２】
- Ｂａｒｒｉｎｇされないセル
【００２３】
- Ｃｅｌｌ ｓｅｌｅｃｔｉｏｎ ｃｒｉｔｅｒｉｏｎを満足するセル
【００２４】
-ＣＳＧセルであれば、端末のホワイトリスト内に当該のＣＳＧＩＤがあるセル 
【００２５】
「ｃａｍｐｅｄ ｏｎ ａｎｙ ｃｅｌｌ ｓｔａｔｅ」は端末がｓｕｉｔａｂｌｅ ｃｅｌｌにキャンプすることができなく、Ａｃｃｅｐｔａｂｌｅ ｃｅｌｌにキャンプしている状態を指す。Ａｃｃｅｐｔａｂｌｅ ｃｅｌｌでは一般的なサービスは不可能であり、イマージェンシーコール(ｅｍｅｒｇｅｎｃｙ ｃａｌｌ)だけ端末が試みることができる。Ａｃｃｅｐｔａｂｌｅ ｃｅｌｌは以下のような条件を満足させるセルである。
【００２６】
- Ｂａｒｒｉｎｇされないセル
【００２７】
- Ｃｅｌｌ ｓｅｌｅｃｔｉｏｎ ｃｒｉｔｅｒｉｏｎを満足するセル
【００２８】
もし、端末が「ｃａｍｐｅｄ ｏｎ ａｎｙ ｃｅｌｌ ｓｔａｔｅ」待機状態であれば、ＲＲＣ接続解除メッセージから提供された優先順位情報の代りに２１５段階へ戻ってＳＩＢから提供された周波数優先順位情報を適用する。端末が「ｃａｍｐｅｄ ｎｏｒｍａｌｌｙ」待機状態であれば、端末は以下の３つの条件の中で少なくとも１つの条件が満足されるかを２３５段階で判定する。３つの条件は
【００２９】
- 端末が接続モードに転換される
【００３０】
- Ｔ３２０タイマーが満了する
【００３１】
- ＮＡＳリクエストによって、ＰＬＭＮ選択過程が実行される
【００３２】
上記条件のうち、いずれか１つの条件でも満足されると、端末は２４０段階でＲＲＣ接続解除メッセージから提供された優先順位情報は廃棄されて、２１５段階へ戻って、ＳＩＢから提供された周波数優先順位情報を適用する。そうではなく、どの条件も満足しない場合、端末はＲＲＣ接続解除メッセージから提供された優先順位情報を２４５段階で適用する。
【００３３】
周波数優先順位情報は端末が特定周波数の測定に影響を及ぶ。現在のサービングセルより高い優先順位を持つ周波数に対して端末は測定(ｍｅａｓｕｒｅｍｅｎｔ)を常に実行する。
【００３４】
これに対し、サービングセルと同一周波数(ｉｎｔｒａ−ｆｒｅｑｕｅｎｃｙ)又はこれより優先順位が同一であるとか又は低い他の周波数は端末電力を節約するために当該の周波数に対する測定を常に実行しない。測定実行をするか否かはサービングセルのチャンネルＱｏＳが特定閾値より小さいとか同一である時、実行する。セル再選択はチャンネル状態が良好なセルで移動するために実行するのに、現在サービングセルのチャンネルＱｏＳが良好であれば、敢えて優先順位が同一であるとか低い周波数に移動する理由がない。したがって、不必要なチャンネル測定による電力消耗を減らすために特定閾値を基準で測定実行をするか否かを決める。
【００３５】
同一周波数(ｉｎｔｒａ−ｆｒｅｑｕｅｎｃｙ)の場合に、特定閾値ＳintrasearchよりサービングセルのＱｏＳが同一であるとか低い場合、同一周波数の他のセルに対してチャンネル測定を実行する。優先順位が同一であるとか低い他の周波数に対しては、特定閾値ＳnonintrasearchよりサービングセルのＱｏＳが同一であるとか低い場合、当該の他の周波数のセルに対してチャンネル測定を実行する。チャンネルＱｏＳは一般的にＲＳＲＰとＲＳＲＱを考慮する。
【００３６】
上記のように測定を実行してから、高い優先順位を持つ周波数のセルのチャンネルＱｏＳが特定閾値ＴｈｒｅｓｈＸ−ｈｉｇｈより高くなれば、端末は高い優先順位を持った周波数のセルをサービングセルで再選択する。低い優先順位を持つ周波数のセルのチャンネル ＱｏＳが特定閾値ＴｈｒｅｓｈＸ−ｌｏｗより高くサービングセルのＱｏＳがＴｈｒｅｓｈServing-lowより低くなれば、端末は低い優先順位を持つ周波数のセルをサービングセルで再選択する。同一周波数又は同一優先順位を持つ周波数の各セルはチャンネルＱｏＳを基づいた特定公式によって優先順位を決める。これをセルランキング(Ｃｅｌｌ Ｒａｎｋｉｎｇ)と称する。
【００３７】
サービングセルに対してランキング(Ｒａｎｋｉｎｇ)値はＲｓ＝Ｑmeas、s＋Ｑhyst、ｓと定義される。一方、隣接セルのランキング(Ｒａｎｋｉｎｇ)値はＲｎ＝Ｑmeas、ｎ＋Ｑoffs、nと定義される。 Ｑmeas、sとＱmeas、ｎは、サービングセルと隣接セルのＲＳＲＰ値であり、Ｑhyst、ｓはサービングセルに適用されるヒステリシス(ｈｙｓｔｅｒｅｓｉｓ)値、Ｑoffs、nはサービングセルと隣接セルの間のオフセット値である。Ｒａｎｋｉｎｇ値が大きければ当該のセルはサービングセルで選択される。
【００３８】
ＣＳＧセルもサービス提供のために、特定周波数を利用する。端末がＣＳＧセルをサービングセルでキャンプされる時、当該のＣＳＧセル周波数の優先順位をどのように設定するか決めるべきである。本発明におけるＣＳＧセル周波数の優先順位を決める方法を提案する。
【００３９】
図３は、１つのＣＳＧセルメンバーである端末が周辺のＣＳＧセルを認知する過程を説明するための図面である。端末３００はＣＳＧセル又はｎｏｎ ＣＳＧセルからＣＳＧセルに割り当てられたＰＣＩ(Ｐｈｙｓｉｃａｌ Ｃｅｌｌ ＩＤ)値の範囲をＳＩＢを通じて ３１０段階で提供される。
【００４０】
図３を参照すれば、ＰＣＩ値の範囲で一般セルに割り当てられるＰＣＩとＣＳＧセルに割り当てられたＰＣＩは区別されている。端末は周辺の一つのＣＳＧセルの同期信号を受信し、これから当該のＣＳＧセルのＰＣＩを３１５段階で獲得する。端末は当該のＰＣＩ値がＣＳＧセルに割り当てられたＰＣＩ範囲に含まれるかどうかを識別し、当該のセルがＣＳＧセルなのを３２０段階で判定する。端末はＣＳＧセルから放送されるＳＩＢ1に含まれたＣＳＧ−ｉｄｅｎｔｉｔｙ ＩＥを通じて、当該のＣＳＧセルのＩＤを３２５段階で識別する。ＣＳＧ ＩＤ ＩＥの構成表は以下の通りである。
【００４１】
ＣＳＧ-Ｉｄｅｎｔｉｔｙ ｉｎｆｏｒｍａｔｉｏｎ ｅｌｅｍｅｎｔ 
【表１】
2014514850.tif 000003
ＣＳＧ ＩＤは総２７ビットを利用して１つのＣＳＧセルを指示するのに利用される。
【００４２】
端末は自己が持っているＣＳＧセルに対するホワイトリスト(ｗｈｉｔｅ ｌｉｓｔ)に上記ＣＳＧセルのＩＤが含まれているかどうか３３０段階で識別する。もし、含まれる場合、端末は上記ＣＳＧセルにキャンプすることができる。
【００４３】
端末は自己がメンバーであるＣＳＧセルにキャンプすると、現在周波数に対する優先順位を決めるべきである。本発明では端末がＣＳＧセルにキャンプする時、そしてＣＳＧセルではない他のセルで再選択する時、現在周波数に対する優先順位決定方法を提案する。
【００４４】
端末がＣＳＧセルでキャンプすると、現在周波数のセル再選択のための優先順位は最も高い段階に変更する。これはＣＳＧセルは制限されたメンバーに限ってサービスを提供するセルとして、メンバーシップを持つ端末がＣＳＧセルのサービス領域中にある場合、ＣＳＧセルになるべくキャンプすることが好ましい。また、端末電力消耗減少のために、不必要なチャンネル測定を制限する必要がある。したがって、端末がＣＳＧセルでキャンプすると、現在周波数の優先順位を最も高い段階で格上げさせる。前述したように、現在サービングセルの周波数に対する優先順位情報は提供されないこともある。このような場合には従来技術による当該の周波数の優先順位を最も低い段階と見なす。しかし、本発明の実施形態では現在周波数に対する優先順位情報が提供されない場合にも、端末がＣＳＧセルにキャンプすると、優先順位を最も高い段階に変更することを特徴とする。端末がＣＳＧセルから他のセルで再選択を実行すると、端末は既存の優先順位を従来の規則どおり現在キャンプした周波数に対する優先順位を決める。すなわち、もし端末が現在周波数に対する優先順位情報が提供されない場合、ＣＳＧセルから他のセルで再選択を実行すると、端末は既存の優先順位を最も高い段階で最も低い段階に変更する。
【００４５】
図４は、ＣＳＧセルに対するセル再選択優先順位の決定方法を説明するための図面である。
【００４６】
図４を参照すれば、端末は４００段階で周波数別で優先順位情報を受信する。このような優先順位情報はすべての周波数に対して提供されるのではなく、現在周波数に対する優先順位情報がない場合もある。もし、現在周波数に対する優先順位情報が存在しない場合、端末は現在周波数の優先順位を８段階のうち、最も低い段階で４０５段階で見なす。
【００４７】
端末は提供された優先順位情報を基づいてセル再選択過程を４１０段階で実行する。端末が持つホワイトリストに含まれるＣＳＧセルで、当該の端末がキャンプするのかが４１５段階で持続的に識別する。
【００４８】
そして任意の時点で端末は、自己が持つホワイトリストに含まれるＣＳＧセルでキャンプしたことを検出する。それでは端末は現在周波数に対する優先順位情報がないにも関らず、優先順位を最も高い段階で４２０段階で変更する。
【００４９】
端末は４２５段階でＣＳＧセルで他のセルで再選択されるかどうかを識別する。もし端末がＣＳＧセルではない他のセルで再選択すると、現在周波数に対する優先順位情報がないから、４３０段階で現在周波数に対する優先順位を最も低い段階に変更する。
【００５０】
上述した本願発明の特徴を要約すれば、端末は任意のサービング周波数(或いは現在周波数)のセル再選択優先順位を決めることにおいて、もし、サービング周波数ではない他の周波数に対してはセル再選択優先順位が提供されたにも関らずサービング周波数に対してはセル再選択優先順位が提供されない場合、サービング周波数の優先順位を最も低い値に変更する。優先順位が最も低い値に変更された周波数で端末が自己がメンバーであるＣＳＧセルを選択すると、端末は上記周波数からキャンプオン状態を維持するために上記周波数の優先順位を最も低い値から最も高い値に変更する。そして、今後の端末が上記周波数でＣＳＧセルではない他のセルを再選択すると、さらに上記周波数の優先順位を最も低い値に変更する。
【００５１】
本発明は、端末が自己のＣＳＧセルが形成された周波数に留まっている確率を高めるため、次のように変更されることもできる。１つ以上の周波数に対して端末に優先順位が提供され、端末がシステム情報を通じて取得した周辺周波数及びサービング周波数中、一部周波数に対してだけ優先順位が提供されると、端末は優先順位が提供されない周波数(周辺周波数或いはサービング周波数)の優先順位を最も低い値で割り当てる。
【００５２】
端末は任意の時点に、例えば任意の周波数でＣＳＧセルにキャンプオンすることによって、任意の周波数がＣＳＧセルの周波数ということを認知すれば、上記周波数のセル再選択優先順位を最も高い値と設定する。そして、上記設定された値は端末が上記ＣＳＧセルで他のセルへ移動しても一定期間の間の維持される。また、(他の周波数に対してはセル再選択優先順位が提供されたが)上記ＣＳＧセルの周波数に対しては明示的なセル再選択優先順位が提供されない場合にも上記所定の期間の間には上記周波数の優先順位を最も低い値ではない最も高い値と維持する。そして、上記所定の期間が経過した後、元々の優先順位、例えば最も低い値と調整する。
【００５３】
図５は、本発明を適用した端末の内部構造を示したブロック図である。
【００５４】
図５を参照すれば、端末は上位階層５１０とデータなどを送受信して、制御メッセージ処理部５１５を通じて制御メッセージを送受信する。そして上記端末は基地局で制御信号又はデータ送信の際、制御部５２０の制御によって多重化装置５０５を通じて多重化後、送信機５００を通じてデータを送信する。一方、受信の際、端末は制御部５２０の制御によって受信機５００で物理信号を受信した後、逆多重化装置５０５で受信信号を逆多重化し、それぞれメッセージ情報によって上位階層５１０或いは制御メッセージ処理部５１５へ伝達する。
【００５５】
一方、本発明の実施形態によれば、制御部５２０は基地局から送信されるセル再選択に対する周波数別の優先順位情報を受信し、上記受信された優先順位情報によってセル再選択過程を実行することができる。そして制御部５２０は上記端末に対する接続が許容されたＣＳＧ(Ｃｌｏｓｅｄ Ｓｕｂｓｃｒｉｂｅｄ Ｇｒｏｕｐ)セルへの再選択をする否かを判定し、上記ＣＳＧセルへの再選択時、上記ＣＳＧセルに対する周波数をセル再選択に対する最上位優先順位で割り当てるように制御することができる。この場合、上記優先順位情報はシステム情報ブロック(Ｓｙｓｔｅｍ Ｉｎｆｏｒｍａｔｉｏｎ Ｂｌｏｃｋ、ＳＩＢ)又は上位階層シグナリングを通じて受信されることができる。
【００５６】
もし、上記優先順位情報が上位階層シグナリングを通じて受信される場合であれば、制御部５２０はＳＩＢを通じて受信した優先順位情報を無視するように制御することができる。
【００５７】
一方、制御部５２０は受信した優先順位情報が、上記端末が現在接続した周波数に対する優先順位情報を含まない場合、上記端末が現在接続した周波数をセル再選択に対する最下位優先順位で割り当てるように制御することもできる。
【００５８】
本発明の一実施形態によれば、制御部５２０は端末が上記端末に一般的なサービスを提供することができるセルにキャンプ(ｃａｍｐ)しない状態であれば、上記ＳＩＢを通じて受信した優先順位情報によって上記セル再選択過程を実行するように制御することができる。
【００５９】
また、本発明の他の実施形態によれば、制御部５２０は上記ＣＳＧセルを除いた他のセルへの再選択の際、上記ＣＳＧセルに対する周波数をセル再選択に対する最下位優先順位で割り当てることもできる。
【００６０】
また、本発明のまた他の実施形態によれば、制御部５２０は上記ＣＳＧセルを除いた他のセルへの再選択の際、予め設定された時間の間には上記ＣＳＧセルに対する周波数をセル再選択に対する最上位優先順位で維持するように制御することができる。
【００６１】
上述した本発明によればＣＳＧセルで再選択を実行した端末は、次いでＣＳＧセルにキャンプした状態を維持する確率を高めることができる。
【００６２】
本明細書及び図面に開示された本発明の実施形態は、本発明の記述内容を容易に説明して発明の理解を助けるために特定形態を提示したものであるだけ、本発明の範囲を限定しようとするものではない。ここに開示された実施形態以外にも本発明の技術的思想に基づいた他の変形形態が実施可能であるということは本発明が属する技術分野で通常の知識を持つ者に自明なものである。
【符号の説明】
【００６３】
１１０、１１５  端末
１１５  端末
３００  端末
５００  送信機
５００  受信機
５０５  多重化装置
５０５  逆多重化装置
５１０  上位階層
５１５  制御メッセージ処理部
５２０  制御部
【図１】
2014514850.tif 000004
【図２】
2014514850.tif 000005
【図３】
2014514850.tif 000006
【図４】
2014514850.tif 000007
【図５】
2014514850.tif 000008
【国際調査報告】
2014514850.tif 000009
2014514850.tif 000010